(57)【要約】【課題】良好な受信感度を有し、アンテナが所定の電波を確実に受信できる無線機能付き時計を提供する。【解決手段】本発明の無線機能付き時計は、ハウジングと、ハウジング内に収容され、外部からの電波を受信するためのアンテナと、ハウジング上に配置された、ハウジングを装飾するための装飾リングまたは時計の機能表示を示す指標を備える計測リングである導電性の環状部材と、環状部材に形成され、環状部材を周方向に分断する少なくとも１つのスリットと、を備える。【選択図】図１
2008032566.tif 000002
【特許請求の範囲】
【請求項１】
無線機能付き時計であって、
ハウジングと、
ハウジング内に収容され、外部からの電波を受信するためのアンテナと、
ハウジング上に配置された導電性の環状部材と、
環状部材に形成され、環状部材を周方向に分断する少なくとも１つのスリットと、
を備えることを特徴とする無線機能付き時計。
【請求項２】
前記環状部材は、ハウジングを装飾するための装飾リングであることを特徴とする請求項１に記載の無線機能付き時計。
【請求項３】
前記環状部材は、時計の機能表示を示す指標を備える計測リングであることを特徴とする請求項１に記載の無線機能付き時計。
【請求項４】
前記スリットは、アンテナの上方近傍に配置されていることを特徴とする請求項１〜３のいずれかに記載の無線機能付き時計。
【請求項５】
前記スリットは、アンテナにおける両側の開放端部に対向して、それぞれの開放端部の上方近傍に配置されていることを特徴とする請求項１〜３のいずれかに記載の無線機能付き時計。
【請求項６】
前記スリットは、アンテナの少なくとも一方の開放端部に対向して、該開放端部の上方近傍に配置されていることを特徴とする請求項１〜３のいずれかに記載の無線機能付き時計。
【請求項７】
前記ハウジングにおけるアンテナと環状部材との間に位置する部分が、非導電性の材料から構成されていることを特徴とする請求項４〜６のいずれかに記載の無線機能付き時計。
【請求項８】
前記ハウジング内に配置される文字板が、非導電性であることを特徴とする請求項４〜７のいずれかに記載の無線機能付き時計。
【請求項９】
前記スリットは、文字板の時刻表示位置に対応して配置されていることを特徴とする請求項１〜３のいずれかに記載の無線機能付き時計。
【請求項１０】
前記環状部材のスリット内に配置された絶縁部を備えることを特徴とする請求項１〜９のいずれかに記載の無線機能付き時計。
【請求項１１】
前記絶縁部は、環状部材のスリット内に配置された絶縁部材であることを特徴とする請求項１０に記載の無線機能付き時計。
【請求項１２】
前記絶縁部は、ハウジングを構成し環状部材が配置される部材と一体に形成されていることを特徴とする請求項１０に記載の無線機能付き時計。
【請求項１３】
前記絶縁部の視認面の色調は、環状部材の視認面の色調と同色色調であることを特徴とする請求項１０〜１２のいずれかに記載の無線機能付き時計。
【請求項１４】
前記絶縁部の視認面の色調は、環状部材の視認面の色調である金属外観と同色色調である金属外観を呈することを特徴とする請求項１３に記載の無線機能付き時計。
【請求項１５】
前記絶縁部の視認面の色調は、環状部材の視認面の色調と異色色調であることを特徴とする請求項１０〜１２のいずれかに記載の無線機能付き時計。
【請求項１６】
前記絶縁部は、時計の機能表示を示す指標であることを特徴とする請求項１５に記載の無線機能付き時計。
【請求項１７】
前記環状部材と絶縁部の視認面が、略同一平面を形成していることを特徴とする請求項１０〜１６のいずれかに記載の無線機能付き時計。
【請求項１８】
前記絶縁部材は、導電性の付加部材を保持し、
前記付加部材は、外方から視認され得るように、かつ環状部材と接触しないように絶縁部材に保持されていることを特徴とする請求項１１に記載の無線機能付き時計。
【請求項１９】
前記付加部材は、絶縁部材に形成された凹部内に配置されていることを特徴とする請求項１８に記載の無線機能付き時計。
【請求項２０】
前記付加部材は、前記スリット内に一定間隔離間して配置された２つの絶縁部材の間に配置されていることを特徴とする請求項１８に記載の無線機能付き時計。
【請求項２１】
前記付加部材の視認面の色調は、環状部材の視認面の色調と同色色調であることを特徴とする請求項１８〜２０のいずれかに記載の無線機能付き時計。
【請求項２２】
前記付加部材の視認面の色調は、環状部材の視認面の色調と異色色調であることを特徴とする請求項１８〜２０のいずれかに記載の無線機能付き時計。
【請求項２３】
前記付加部材は、時計の機能表示を示す指標であることを特徴とする請求項２２に記載の無線機能付き時計。
【請求項２４】
前記環状部材と絶縁部材と付加部材の視認面が、略同一平面を形成していることを特徴とする請求項１８〜２３のいずれかに記載の無線機能付き時計。
【請求項２５】
前記絶縁部の上部に、付加部材が配置されていることを特徴とする請求項１０に記載の無線機能付き時計。
【請求項２６】
前記付加部材は、時刻表示部材であることを特徴とする請求項２５に記載の無線機能付き時計。
【請求項２７】
前記付加部材は、装飾部材であることを特徴とする請求項２５に記載の無線機能付き時計。
【請求項２８】
前記付加部材は、環状部材と絶縁部との境界の少なくとも一部を覆う、覆い部材であることを特徴とする請求項２５に記載の無線機能付き時計。
【請求項２９】
前記覆い部材と環状部材との間に、絶縁部より延出する延出部が形成されていることを特徴とする請求項２８に記載の無線機能付き時計。
【請求項３０】
前記ハウジングの少なくとも一部を構成し環状部材が配置される部材の少なくとも一部が導電性であり、当該部材と環状部材との間に、絶縁領域を備えることを特徴とする請求項１〜２９のいずれかに記載の無線機能付き時計。
【請求項３１】
前記環状部材が配置される部材は、時計ケースであることを特徴とする請求項３０に記載の無線機能付き時計。
【請求項３２】
前記環状部材が配置される部材は、ベゼルであることを特徴とする請求項３０に記載の無線機能付き時計。
【請求項３３】
前記絶縁領域は、前記環状部材が配置される部材と、環状部材との間に配置された絶縁部材から構成されていることを特徴とする請求項３０〜３２のいずれかに記載の無線機能付き時計。
【請求項３４】
前記絶縁部材は、前記環状部材が配置される部材と、環状部材との少なくとも一方に貼着されていることを特徴とする請求項３３に記載の無線機能付き時計。
【請求項３５】
前記絶縁領域は、前記環状部材が配置される部材と、環状部材との間の境界面の少なくとも一方側に形成された絶縁被膜から構成されていることを特徴とする請求項３０〜３２のいずれかに記載の無線機能付き時計。
【請求項３６】
前記絶縁領域は、アンテナの上方近傍に配置されていることを特徴とする請求項３０〜３５のいずれかに記載の無線機能付き時計。
【請求項３７】
前記絶縁領域は、アンテナにおける両側の開放端部に対向して、それぞれの開放端部の上方近傍に配置されていることを特徴とする請求項３０〜３５のいずれかに記載の無線機能付き時計。
【請求項３８】
前記絶縁領域は、アンテナの少なくとも一方の開放端部に対向して、該開放端部の上方近傍に配置されていることを特徴とする請求項３０〜３５のいずれかに記載の無線機能付き時計。
【発明の詳細な説明】
【技術分野】
【０００１】
本発明は、無線機能付き時計、特に、所定の電波を受信できるアンテナと、アンテナを収容するためのハウジングを備えた時計に関する。
【背景技術】
【０００２】
従来、パソコン通信機能、携帯電話機能や非接触式ＩＣカード機能などの無線機能を備える時計は、すでに知られている。
このような無線機能付き時計として、時刻情報を含む長波標準電波（搬送波）を受信し、その時刻情報に基づいて時刻を修正する無線機能を備えた電波時計も、また広く知られている。
【０００３】
これらの無線機能付き時計は、他の通信機器と同様に、所定の電波を受信するためのアンテナを備える必要がある。
このため、電波を受信する機能、すなわち、受信感度からすれば、電波を受信するアンテナを収納する筐体である時計ケースを、合成樹脂などの非導電性の素材から構成することが考えられる。
【０００４】
しかしながら、これらの無線機能付き時計は、時計であるがために、他の通信機器と異なり、装飾品、または装身具としての美観や高級観が求められる。
このため、電波を受信するアンテナを収納する筐体であるハウジングとして、合成樹脂などの非導電性の素材ではなく、導電性の素材、すなわち、金属製の素材を採用することが求められる場合がある。
【０００５】
これは、合成樹脂などのハウジングが、その質感、色調、または軽量さから、安価な外観と装着感とを使用者に与えるものであり、これに対して、金属製のハウジングが、高級感のある外観と装着感とを使用者に与えるためである。
【０００６】
この金属製のハウジングに対する要求は、ユーザーに携帯される装身具としての腕時計において、特に著しいものである。
しかしながら、導電性のハウジング、すなわち、金属製のハウジング内にアンテナを収容した場合には、アンテナ近傍に発生する磁束が導電材料である金属製のハウジングに吸収され、共振現象が妨げられるため、アンテナが標準電波を受信する受信機能が著しく低下してしまう。
【０００７】
このため、従来より、様々な受信感度向上のための提案がなされている。
例えば、特許文献１には、金属製筐体である金属製のハウジングを備える電波時計、特に、電波腕時計が開示されている。
【０００８】
図１９に示したように、この電波時計１００は、金属製の枠体を構成する時計ケース１０４と、金属製の裏蓋１０６と、風防（ガラス）１０８と、から構成されるハウジング１０２を備えている。
【０００９】
このハウジング１０２内には、時計駆動部を構成するムーブメント１１０と、ソーラーセル１１２と、文字板１１４が配置されている。さらに、ムーブメント１１０の側部下方には、標準電波を受信するためのアンテナ１１６が付設されている。
【００１０】
時計ケース１０４は、脚部１１８が設けられた２組のバンド取り付け部１２０を備えて
おり、互いに離間して平行に延びる一対の脚部１１８の間に、図示しない腕時計のバンドが連結されるようになっている。
【００１１】
ところで、このような金属製外装が採用された電波時計１００では、アンテナ１１６が電波を受信する際に、金属製の時計ケース１０４において、その環状壁の周方向に沿った渦電流が誘導電流として流れる。この渦電流は、ハウジング１０２の外部からの電波を相殺し、アンテナ１１６の受信感度を低下させる。
【００１２】
このような現象を回避するために、この特許文献１の電波時計１００では、時計ケース１０４の環状壁に、時計ケース１０４を周方向に分断するスリット１２２を形成している。すなわち、図１９に示したように、時計ケース１０４は、スリット１２２によって上下方向に沿って完全に分断され、結果として、このスリット１２２により、時計ケース１０４は略Ｃ型の枠体の形状となっている。なお、図１９では、このスリット１２２を明確にするために図示省略しているが、このスリット１２２には、非導電性の合成樹脂からなる絶縁部材が埋め込まれている。
【特許文献１】特開２００２−３４１０５７号公報
【発明の開示】
【発明が解決しようとする課題】
【００１３】
しかしながら、このように金属製の時計ケースにスリットを設けた場合であっても、アンテナの受信感度が十分な程度には改善されない場合があった。例えば、電波腕時計には、装飾リングや、時計の機能表示を示す指標を備える計測リングのような、金属製の環状部材をハウジング上に配置したものがあるが、このような電波腕時計においてはさらに受信感度の向上が求められていた。
【００１４】
本発明は、良好な受信感度を有し、アンテナが所定の電波を確実に受信できる無線機能付き時計を提供することを目的とする。
【課題を解決するための手段】
【００１５】
本発明の無線機能付き時計は、
ハウジングと、
ハウジング内に収容され、外部からの電波を受信するためのアンテナと、
ハウジング上に配置された導電性の環状部材と、
環状部材に形成され、環状部材を周方向に分断する少なくとも１つのスリットと、
を備えることを特徴とする。
【００１６】
本発明によれば、導電性の環状部材に、環状部材を周方向に分断するスリットが形成されているので、環状部材に沿った誘導電流である渦電流の経路が分断され、渦電流の発生が阻止される。
【００１７】
したがって、環状部材に流れる渦電流に起因するアンテナの受信感度の低下が阻止され、アンテナの受信感度が向上する。
また、環状部材は、ハウジング上に配置されている、ハウジングとは別体の部材であるため、この環状部材にスリットが設けられようとも、ハウジングの防水性や耐久性は、なんら低下しない。
【００１８】
本発明における一態様では、環状部材は、ハウジングを装飾するための装飾リングである。
本発明における別の態様では、環状部材は、時計の機能表示を示す指標を備える計測リングである。ここで「機能表示」の具体例としては、時刻表示、日付表示、曜日表示、月
表示、年表示、電池の残量表示、圧力や温度などの外環境測定値の表示、アンテナの受信感度表示、アンテナにおける受信の成否の表示などが挙げられる。
【００１９】
環状部材は、例えば、ハウジングの上面に形成された環状溝に、風防の外側を囲み、文字板を含む時計の機能表示面、例えば時刻表示面を囲むように載置される。環状部材をハウジングの上面に形成された環状溝に固定する方法としては、環状溝への圧入、接着、粘着、ロー付けなどが挙げられる。
【００２０】
環状部材が装飾リングである場合、環状部材は、エンブレムなどの装飾的形状物、ブランド名、メーカー名、商品名などを表すマーク、宝石や貴石などの輝石、あるいはガラスなどから成る疑似輝石を含むことができる。ここで装飾リングとは、視覚を通じて美感を起こさせるものであるならば、どのようなものであってもよい。
【００２１】
環状部材が計測リングである場合、環状部材は、それ単独で時計の機能表示を担うことができる。あるいは、環状部材は、文字板を含む機能表示面と連携して、機能表示を担うこともできる。
【００２２】
本発明の無線機能付き時計は、前記環状部材を複数備えていてもよい。
本発明における時計ケースを含むハウジングは、金属のような導電性であってもよく、合成樹脂のような非導電性であってもよい。また、ハウジングを構成する部品に、導電性の部品と、非導電性の部品が混在していてもよく、裏蓋を有する場合、裏蓋が一体になった時計ケースである場合、裏蓋がガラスである場合など、様々な場合を含むものである。ハウジングは、少なくとも一部が導電性、または少なくとも一部が非導電性の部材と理解される。
【００２３】
また、本発明におけるハウジングを構成する部品、例えば、時計ケースにスリットが形成されていてもよい。また、時計ケースのスリットを排除して、環状部材だけにスリットが形成されていてもよい。
【００２４】
本発明において、「導電性の部材」には、その部材の素材自体が導電性であるもの、その部材に導電性の被膜が形成されたものが含まれる。後者の場合、部材の素材自体は、非導電性の素材であってもよく、導電性の素材であってもよく、または、非導電性の素材と導電性の素材との組み合わせであってもよい。
【００２５】
このような導電性の部材には、環状部材および、ハウジングを構成する部材、例えば時計ケースやベゼルが導電性である場合、後述の付加部材が導電性である場合などが含まれる。
【００２６】
導電性の部材において素材自体または被膜として使用される導電性の材料の具体例としては、金、銀、銅、黄銅、アルミニウム、マグネシウム、亜鉛、チタン、あるいはこれらの合金などを挙げることができる。また、ステンレススチール、タンタルカーバイドなどを用いてもよい。
【００２７】
本発明において、「非導電性の部材」には、その部材の素材自体が非電性であるもの、その部材に非導電性の被膜が形成されたものが含まれる。後者の場合、部材の素材自体は、非導電性の素材であってもよく、導電性の素材であってもよく、または、非導電性の素材と導電性の素材との組み合わせであってもよい。
【００２８】
このような非導電性の部材には、ハウジングを構成する部材、例えば時計ケースやベゼルが非導電性である場合、スリット内に配置される後述の絶縁部材、後述の付加部材が非
導電性である場合などが含まれる。
【００２９】
本発明における好ましい態様では、前記スリットは、アンテナの上方近傍に配置されている。ここで「アンテナの上方近傍」とは、アンテナにおける少なくとも一方の開放端部、好ましくは両側の開放端部の上方近傍を含む領域のことであり、例えば図１５に示したような範囲のことである。
【００３０】
ここで、「アンテナの開放端部」とは、アンテナの開放端周囲の領域を含み、例えばアンテナがＵ字型を成すような円弧形状である場合、アンテナの開放端近傍の円弧部分まで「アンテナの開放端部」に含まれる。
【００３１】
このように、アンテナの上方近傍にスリットを配置することで、アンテナ上方には、電波の受信を妨げる導電性の環状部材が存在しないので、アンテナの受信感度が向上する。
前記スリットは、アンテナの少なくとも一方の開放端部に対向して、該開放端部の上方近傍に配置されていることが好ましく、さらに、アンテナにおける両側の開放端部に対向して、それぞれの開放端部の上方近傍に配置されていることが、受信感度の向上という点ではより好ましい。
【００３２】
ここで「アンテナの開放端部の上方近傍」とは、ハウジングの上下方向におけるアンテナの開放端部の真上の位置およびその近傍であって、例えば、図１６および図１７に示したような範囲のことである。
【００３３】
このように、アンテナの少なくとも一方の開放端部に対向して、該開放端部の上方近傍にスリットを配置することで、アンテナの開放端部の上方近傍には、電波の受信を妨げる導電性の環状部材が存在しないので、このスリットを介して電波がアンテナの開放端部に受信され、アンテナの受信感度が向上する。
【００３４】
このように、アンテナの上方近傍、またはアンテナの少なくとも一方の開放端部に対向してスリットを配置した場合においては、ハウジングにおけるアンテナと環状部材との間に位置する部分は、非導電性の材料から構成されていることが好ましい。
【００３５】
さらに、ハウジング内に配置される文字板が、非導電性であることが好ましい。
このように、アンテナと環状部材との間に位置する部分を、非導電性の材料から構成することで、スリットを介して電波がアンテナに受信され易くなり、アンテナの受信感度が向上する。
【００３６】
本発明における一態様では、前記スリットは、文字板の時刻表示位置に対応して配置されている。
このようにすることで、スリットを、時刻表示を示す指標として機能させることができる。さらに、スリットが視認されようとも自然な印象を与えることができ、時計の美観も向上する。
【００３７】
また、本発明の無線機能付き時計は、前記環状部材のスリット内に配置された絶縁部を備えることを特徴とする。
本発明における一態様では、前記絶縁部は、前記環状部材のスリット内に配置された絶縁部材である。
【００３８】
このような絶縁部材の具体例としては、合成樹脂からなる成形体を挙げることができる。
あるいは、絶縁部材は、導電性の素材に、絶縁被膜が被覆されるか、または合成樹脂や
ゴムなどからなる絶縁シートが貼着された部材であってもよい。この場合、導電性の素材としては、金、銀、銅、黄銅、アルミニウム、マグネシウム、亜鉛、チタン、あるいはこれらの合金などを挙げることができる。また、ステンレススチール、タンタルカーバイドなどを用いてもよい。
【００３９】
また、絶縁被膜としては、例えば、非導電性の塗装被膜、非導電性の印刷被膜、非導電性の乾式めっき被膜などが挙げられる。絶縁被膜の具体例としては、ＤＬＣ（Diamond like carbon）被膜；アクリル系材料、ウレタン系材料、セルロース系材料などの有機材料
の絶縁被膜；クロム化合物を含むクロム化合物系被膜；酸化アルミ化合物を含む酸化アルミ系被膜などが挙げられる。このうち、クロム化合物系被膜としては、酸化クロム化合物を含む酸化クロム系被膜、窒化クロム化合物を含む窒化クロム系被膜、炭化クロム化合物を含む炭化クロム系被膜などが挙げられる。
【００４０】
絶縁部材は、不用意に抜脱しないように、機械的な嵌合もしくは係合、あるいは接着、粘着などの方法によって、環状部材や、ハウジングの上面に形成された環状部材を配置する環状溝に固定されることが好ましい。
【００４１】
本発明における別の態様では、前記絶縁部は、ハウジングを構成し環状部材が配置される部材と一体に形成されている。
このような絶縁部は、例えば、時計ケースやベゼルなどの、環状部材が配置される部材と一体に樹脂成形することで形成することができる。具体的には、例えば、ハウジングの上面における環状部材が配置される溝に沿った位置にある、環状部材のスリットが配置される部分に突出する形態でこのような絶縁部が形成される。
【００４２】
本発明における好ましい一態様では、前記絶縁部の視認面の色調は、環状部材の視認面の色調と同色色調である。
この場合、好ましい一態様では、前記絶縁部の視認面の色調は、環状部材の視認面の色調である金属外観と同色色調である金属外観を呈している。
【００４３】
このように、絶縁部の視認面の色調を、環状部材の視認面の色調と同色色調とすることで、絶縁部が視認されにくくなり、環状部材の美観が向上し、時計自体の美観も向上する。
【００４４】
さらに、絶縁部が環状部材と同じような金属外観を呈するようにすることで、環状部材に高級観が与えられる。
なお、本発明において「視認面」とは、外面のうち、観察者に視認される領域を意味する。
【００４５】
また、本発明において「同色色調」とは、２つの対象（ここでは環状部材と絶縁部）の色調が、共に同じ色調と認識され得る範囲内にあることを意味し、その色調の濃淡や明暗など、色調の外観上の風合いが完全に一致することに限定されない。例えば、濃い金色、薄い金色、明るい金色、および暗い金色は、ここではすべて金色の同色色調とされる。
【００４６】
例えば、環状部材が明るい金色色調であり、絶縁部が暗い金色色調であろうとも、環状部材と絶縁部の視認面が金色の同色色調を呈すれば、絶縁部が視認されにくくなり、環状部材の美観が向上し、時計自体の美観も向上する。
【００４７】
環状部材および絶縁部の視認面の色調は、それらの素材そのものの色調であってもよく、それらに被覆された被膜の色調であってもよい。このような被膜としては、例えば、塗装被膜、印刷被膜、乾式めっき被膜などが挙げられる。
【００４８】
なお、環状部材および絶縁部は、その視認面以外の外面が互いに同色色調であってもよく、例えば、環状部材と絶縁部における外面すべてが互いに同色色調であってもよい。
導電性素材からなる環状部材と同じような金属外観を得るために、例えば、絶縁部には、環状部材と同色色調のメタリック塗装による塗装被膜が被覆されていてもよい。このメタリック塗装被膜としては、例えば、メタリック顔料が混入された塗装被膜を挙げることができる。
【００４９】
例えば、ステンレス色を得るためには、鉄、クロム、ニッケル、モリブデンなどを成分とするステンレス顔料が含有された塗装被膜が被覆される。
また、例えば、金色を得るためには、銅、亜鉛、鉄などを成分とするブロンズ顔料が含有された塗装被膜が被覆される。
【００５０】
また、例えば、銀色を得るためには、アルミニウムを成分とするアルミニウム顔料、またはニッケルを成分とするニッケル顔料が含有された塗装被膜が被覆される。
これら以外にも、パール顔料や、グラファイト顔料、フタロシャニンフレークなど、様々な顔料を用いることができる。
【００５１】
このような塗装被膜を絶縁部に施す場合、先ず、絶縁部の外表面上に下地塗装被膜が被覆される。次いで、この下地塗装被膜の上にメタリック塗装被膜が被覆される。さらに、このメタリック塗装被膜の上に、透明、または半透明な合成樹脂層であるクリアコートが被覆される。このクリアコートにより、メタリック塗装被膜に金属が含有された場合にも、塗装された絶縁部の最外表面は、非導電性が維持される。
【００５２】
メタリック塗装被膜に限らず、このような塗装被膜の単層、または積層の非導電性を確保するためには、クリアコートのような、絶縁性の上塗り塗装被膜が最外層として採用されることが好ましい。
【００５３】
このような絶縁性の上塗り塗装被膜、すなわち絶縁被膜としては、例えば、ポリウレタン樹脂塗料、樹脂を形成するポリマー分子中にフッ素が混入されたフッ素樹脂塗料、ポリ塩化ビニル樹脂を可塑剤に分散させた塩ビゾル塗料、オイルフリーポリエステル樹脂をシリコーン中間体により変性させたシリコーンポリエステル樹脂からなるシリコーンポリエステル樹脂塗料、または、オイルフリーポリエステル樹脂、アクリル樹脂塗料、エポキシ樹脂塗料、シリコーンアクリル樹脂塗料、塩化ビニル樹脂塗料、ラッカー、フェノール樹脂塗料、塩化ゴム系塗料などが挙げられる。
【００５４】
本発明における好ましい別の態様では、前記絶縁部の視認面の色調は、環状部材の視認面の色調と異色色調である。
なお、本発明において、２つの対象（ここでは絶縁部と環状部材）が異色色調であるとは、上述の同色色調と認められない色調の組み合わせを意味する。
【００５５】
この場合、好ましい態様では、前記絶縁部は、時計の機能表示を示す指標である。
ここで、「機能表示」の具体例としては、時刻表示、日付表示、曜日表示、月表示、年表示、電池の残量表示、圧力や温度などの外環境測定値の表示、アンテナの受信感度表示、アンテナにおける受信の成否の表示などが挙げられる。
【００５６】
このような構成によれば、この絶縁部の部分を、時計の機能表示を示す指標として、時計の携帯者などの観察者に視認し易くすることができる。
環状部材が金属色調を呈するのであれば、例えば、絶縁部は、赤、オレンジ、黄色などの目立つ色調を呈することができる。絶縁部の視認面の色調は、絶縁部の素材そのものの
色調であっても、絶縁部に被覆された被膜の色調であってもよい。このような被膜としては、例えば、塗装被膜、印刷被膜、または乾式めっき被膜などが挙げられる。
【００５７】
本発明における好ましい態様では、前記環状部材と絶縁部の視認面が、略同一平面を形成している。
このようにすることで、環状部材と絶縁部とが一体的に視認されるので、環状部材の美観が向上し、時計自体の美観も向上する。
【００５８】
また、本発明の無線機能付き時計は、前記絶縁部材が導電性の付加部材を保持し、
前記付加部材は、外方から視認され得るように、かつ環状部材と接触しないように絶縁部材に保持されていることを特徴とする。
【００５９】
本発明における一態様では、前記付加部材は、絶縁部材に形成された凹部内に配置されている。
本発明における別の態様では、前記付加部材は、前記スリット内に一定間隔離間して配置された２つの絶縁部材の間に配置されている。この場合、絶縁部材としては、環状部材と付加部材との接合層、例えば接着層または粘着層であってもよい。このような接合層の具体例としては、両面粘着テープなどが挙げられる。
【００６０】
このようにすることで、絶縁部材に保持された導電性の付加部材により金属外観が付与され、環状部材の美観と高級観が向上し、時計自体の美観も向上する。
また、導電性の付加部材が、導電性の環状部材と接触しないように絶縁部材に保持されているので、環状部材に渦電流が発生することがなく、アンテナの受信感度が向上する。
【００６１】
本発明における好ましい一態様では、付加部材の視認面の色調は、環状部材の視認面の色調と同色色調である。
このようにすることで、付加部材が視認されにくくなり、環状部材の美観が向上し、時計自体の美観も向上する。
【００６２】
本発明における好ましい別の態様では、前記付加部材の視認面の色調は、環状部材の視認面の色調と異色色調である。
この場合、好ましい態様では、前記付加部材は、時計の機能表示を示す指標である。ここで、「機能表示」の具体例としては、時刻表示、日付表示、曜日表示、月表示、年表示、電池の残量表示、圧力や温度などの外環境測定値の表示、アンテナの受信感度表示、アンテナにおける受信の成否の表示などが挙げられる。
【００６３】
このような構成によれば、この付加部材の部分を、時計の機能表示を示す指標として、時計の携帯者などの観察者に視認し易くすることができる。
本発明における好ましい態様では、前記環状部材と絶縁部材と付加部材の視認面が、略同一平面を形成している。
【００６４】
このようにすることで、環状部材と絶縁部材と付加部材とが一体的に視認されるので、環状部材の美観が向上し、時計自体の美観も向上する。
また、本発明の無線機能付き時計は、前記絶縁部の上部に、付加部材が配置されていることを特徴とする。
【００６５】
好ましい一態様では、前記付加部材は、時刻表示部材である。時刻表示部材は、絶縁部とは独立した部材であってもよく、絶縁部と一体に形成された部材であってもよい。また、時刻表示部材は、導電性であってもよく、非導電性であってもよい。
【００６６】
時刻表示部材を視認し易い点からは、時刻表示部材の視認面の色調は、絶縁部の視認面の色調と異色色調であることが好ましい。
好ましい別の態様では、前記付加部材は、装飾部材である。
【００６７】
このように、宝石や貴石などの輝石等の装飾部材を絶縁部に配置することで、環状部材の美観と高級観が向上し、時計自体の美観も向上する。
好ましい別の態様では、前記付加部材は、環状部材と絶縁部との境界の少なくとも一部を覆う、覆い部材である。
【００６８】
このような覆い部材を配置することで、環状部材と絶縁部との境界が隠されて視認されなくなるので、環状部材の美観と高級観が向上し、時計の美観も向上する。
この覆い部材が導電性である場合、覆い部材と環状部材との間に、絶縁部より延出する延出部が形成されていることが好ましい。
【００６９】
このようにすることで、環状部材と絶縁部との境界を越えて延びた導電性の覆い部材は、絶縁部に形成された延出部が介在するため導電性の環状部材に接触することがなく、導電性である覆い部材と環状部材とが確実に絶縁される。したがって、環状部材に渦電流が生じることが阻止され、アンテナの受信感度が向上する。
【００７０】
また、本発明の無線機能付き時計は、ハウジングの少なくとも一部を構成し前記環状部材が配置される部材の少なくとも一部が導電性であり、当該部材と環状部材との間に、絶縁領域を備えることを特徴とする。
【００７１】
本発明における一態様では、前記環状部材が配置される部材は、時計ケースである。
本発明における別の態様では、前記環状部材が配置される部材は、ベゼルである。
このように、環状部材が配置される導電性の部材と環状部材との間に絶縁領域が介在することで、電波の受信時にこれらの間で誘導電流が流れることが阻止され、アンテナの受信感度がさらに向上する。
【００７２】
本発明における一態様では、前記絶縁領域は、前記環状部材が配置される部材と、環状部材との間に配置された絶縁部材から構成されている。
このような絶縁部材の具体例としては、合成樹脂やゴムなどからなるシート状などの部材、セラミックなどからなる非導電性の部材などが挙げられる。
【００７３】
あるいは、絶縁部材は、導電性の素材に、絶縁被膜が被覆されるか、または合成樹脂やゴムなどからなる絶縁シートが貼着された部材であってもよい。その具体例としては、スリット内に配置された絶縁部材の具体例として上述したものを挙げることができる。
【００７４】
環状部材が配置される部材と環状部材との間に、絶縁領域としての絶縁部材を配置する場合、スペーサとしての独立した絶縁シートをこれらの間に挟む形態であってもよいが、これらの少なくとも一方に絶縁部材を貼着する形態がより好ましい。具体的には、粘着テープや接着テープを貼り付ける形態が挙げられる。
【００７５】
このようにすることで、時計の組み立て時において環状部材をハウジングへ組み込み易くなり、作業性が向上する。さらに、絶縁部材として、接合層として機能する両面粘着テープなどを用いることで、環状部材をハウジングへ固定する手段としても機能する。
【００７６】
本発明における別の態様では、前記絶縁領域は、前記環状部材が配置される部材と、環状部材との間の境界面の少なくとも一方側に形成された絶縁被膜から構成されている。
このような絶縁被膜の具体例としては、上述のスリット内に配置される絶縁部材におい
て、導電性の素材に被覆される絶縁被膜および、メタリック塗装被膜に上塗りされる絶縁被膜として例示したものを挙げることができる。
【００７７】
本発明における好ましい態様では、前記絶縁領域は、アンテナの上方近傍に配置されている。
また、絶縁領域は、アンテナの少なくとも一方の開放端部に対向して、該開放端部の上方近傍に配置されていることが好ましく、さらに、アンテナにおける両側の開放端部に対向して、それぞれの開放端部の上方近傍に配置さていることが、受信感度の向上という点ではより好ましい。
【００７８】
ここで「アンテナの上方近傍」、「アンテナの開放端部」とは、環状部材のスリットの配置位置に関して上述した領域のことである。
このように、アンテナの上方近傍に、あるいは、アンテナの少なくとも一方の開放端部に対向して該開放端部の上方近傍に、絶縁領域を配置することで、電波の受信時に、この領域において環状部材が配置される導電性の部材と環状部材との間に誘導電流が流れることが阻止され、アンテナの受信感度がさらに向上する。
【発明の効果】
【００７９】
本発明によれば、良好な受信感度を有し、アンテナが所定の電波を確実に受信できる無線機能付き時計が提供される。
【発明を実施するための最良の形態】
【００８０】
以下、図面を参照しながら本発明の実施例について説明する。
なお、本明細書において「上下方向」とは、図２および図１４において、上下方向を意味する。従って、上面とは、腕時計を手首に装着した状態において、外方に露出する面であり、下面とは、同状態において手首と相対する面である。
【００８１】
また、「平面方向」とは、上下方向に直交する方向であって、図２および図１４において、左右方向を意味するものであり、平面方向がバンドの長手方向またはバンドの幅方向と重複する場合もある。
（実施例１）
図１は、本発明の一実施例における無線機能付き時計の分解斜視図、図２は、図１の無線機能付き時計を組み立てた状態におけるＡ−Ａ線方向の部分断面図である。
【００８２】
図１および図２において、符号１０は、全体で本実施例の無線機能付き時計を示している。本実施例の無線機能付き時計１０は、時刻情報を含む長波標準電波（搬送波）を受信し、その時刻情報に基づいて時刻を修正する無線機能を備えた電波腕時計であり、図１および図２に示したように、ハウジング１２を備えている。
【００８３】
このハウジング１２は、導電性の略円筒形状の枠体を構成する時計ケース１４と、時計ケース１４の下面開口部を覆うように密封状態で装着される導電性の裏蓋１６と、この時計ケース１４の上面開口部を覆うように密封状態で装着される風防（ガラス）１８とを備えている。
【００８４】
このハウジング１２内には、時計駆動部を構成するムーブメント２０が配置され、このムーブメント２０の上面には、ムーブメント２０を光の起電力によって駆動するためのソーラーセル２２が配置されている。
【００８５】
このソーラーセル２２の上面には、ソーラーセルの発電に寄与する波長の外光を、少なくともムーブメント２０の駆動に足るだけ透過させる透光機能を有する文字板２４が配置
されている。
【００８６】
さらに、このムーブメント２０の側部下方の小径部２０ａには、標準電波を受信するためのアンテナ２６が付設されている。なお、この実施例では、アンテナ２６として、コアとなる棒状の磁芯部材と、この磁芯部材の外周に巻かれたコイルとからなるバーアンテナを図示しているが、これに限らず、その他の構成のアンテナであってもよい。
【００８７】
文字板２４は、ソーラーセルの発電に寄与する波長の外光を透過する透光機能を有するものであれば特に限定されるものではないが、例えば、合成樹脂、セラミック、ガラス、木材、あるいは貝などの非導電性材料で構成することによって、外部からの電波がさらにアンテナ２６に到達し易くなるため、アンテナの受信感度を向上させることができる。
【００８８】
図１に示すように、時計ケース１４は、外方に突出する２組のバンド取り付け部２８を備えており、これらのバンド取り付け部２８にはそれぞれ、互いに対向するように、一定間隔離間して配置され、時計ケース１４より延設された脚部３０が設けられている。
【００８９】
そして、これらの脚部３０の間に、図示しない腕時計のバンドが連結されるようになっている。
なお、ムーブメント２０より突出して、ソーラーセル２２と文字板２４とを貫通する図１の針軸３１には、図示しないが、分針と時針とが配置される。これら分針と時針とは、文字板２４と風防１８との間に位置して時刻を表示するようになっている。
【００９０】
図２に示すように、風防１８の外周部と、時計ケース１４の上端内周側との間には、風防１８を密封状態で固定するための固定（防水）パッキン４１が介装されている。
時計ケース１４の上面には、環状溝１４ａが形成されており、この環状溝１４ａに、風防１８の外側を囲み、文字板２４を含む時刻表示面を囲むように、導電性の環状部材３５が装着されている。この環状部材３５は、ハウジング１２を装飾するための装飾リングまたは、時計の機能表示を示す指標を備える計測リングである。
【００９１】
図２に示すように、裏蓋１６には、内側に突設する中子部材４２が形成されており、この中子部材４２の外周側には、離間して形成された複数の係合突設部４３が突設されている。そして、時計ケース１４の下端近傍の内周側には、この裏蓋１６の中子部材４２の係合突設部４３が係合する係合用凹部４４が形成されている。
【００９２】
また、ムーブメント２０の側部上方の大径部２０ｂと、中子部材４２の上端部との間には、支持枠４５が介装されている。支持枠４５は、合成樹脂などの非導電性材料からなり、ハウジング１２の一部を構成する時計ケース１４がステンレスのような導電性材料からなる場合には、導電性の時計ケース１４とアンテナ２６との平面方向に沿った隙間を確保しアンテナ２６の受信性能を高く維持する。
【００９３】
裏蓋１６における中子部材４２の係合突設部４３を、時計ケース１４の係合用凹部４４に係合することによって、時計ケース１４の内周側に形成された押さえ面と、裏蓋１６の中子部材４２の上端部との間で、支持枠４５を介して、ムーブメント２０、ソーラーセル２２、文字板２４が、時計ケース１４の内部に固定され、収容されるようになっている。
【００９４】
なお、図２において、符号４６は、裏蓋１６と時計ケース１４との間を密封状態で封止するための防水パッキンである。
この実施例の無線機能付き時計１０では、環状部材３５に、この環状部材３５を周方向に分断するスリット３５ａが形成されている。
【００９５】
このように、導電性の環状部材３５にスリット３５ａが形成されているので、環状部材３５に沿った誘導電流である渦電流の経路が分断され、渦電流の発生が阻止される。したがって、環状部材３５に流れる渦電流に起因するアンテナ２６の受信感度の低下が阻止され、アンテナ２６の受信感度が向上する。
【００９６】
また、この実施例の無線機能付き時計１０は、時計ケース１４の環状溝１４ａと、環状部材３５との間に、絶縁領域５０が配置されている。
絶縁領域５０は、上述したように、絶縁部材または絶縁被膜から構成することができるが、この実施例では、両面粘着テープにより絶縁領域５０を構成し、この両面粘着テープで環状部材３５を環状溝１４ａに固定している。
【００９７】
このように、時計ケース１４の環状溝１４ａと、環状部材３５との間に絶縁領域５０を介在させることで、電波の受信時にこれらの間で誘導電流が流れることが阻止され、アンテナの受信感度がさらに向上する。
【００９８】
図２のように、環状部材３５の下面と環状溝１４ａの底面との間にのみ絶縁領域５０を形成する場合、環状部材３５の側面と環状溝１４ａの側面との間には、これらの導通を遮断するための隙間５５が形成される。しかし必要に応じて、環状部材３５の側面と環状溝１４ａの側面との間にも絶縁領域５０を形成してもよい。
【００９９】
なお、この実施例では導電性の時計ケース１４を用いているが、時計ケース１４が合成樹脂などのように非導電性である場合には、絶縁領域５０を配置する必要はない。
（実施例２）
図３は、本発明の別の実施例における無線機能付き時計の一部分解斜視図、図４は、図３の無線機能付き時計の斜視図である。なお、この実施例の無線機能付き時計１０は、上述した実施例１の無線機能付き時計１０と基本的には同様な構成であり、同一の構成要素には、同一の参照番号を付してその詳細な説明を省略する。
【０１００】
この実施例の無線機能付き時計１０は、環状部材３５のスリット３５ａ内に配置された絶縁部材６０を備えている。絶縁部材６０は、その断面が、環状部材３５の断面と略同一形状となっており、スリット３５ａと環状溝１４ａで仕切られる凹部内に装着されるようになっている。
【０１０１】
このようにスリット３５ａ内に絶縁部材６０を配置した場合であっても、導電性の環状部材３５にスリット３５ａが形成されているので、環状部材３５に沿った誘導電流である渦電流の経路が分断され、渦電流の発生が阻止される。したがって、環状部材３５に流れる渦電流に起因するアンテナ２６の受信感度の低下が阻止され、アンテナ２６の受信感度が向上する。
【０１０２】
例えば、絶縁部材６０が非導電性の合成樹脂であれば、スリット３５ａの大きさや形状に合わせた絶縁部材６０を、一体成形などによって容易に製造することができる。
また、絶縁部材６０は、不用意に環状部材３５のスリット３５ａから脱落しないように、環状部材３５に固定されることが好ましい。そのための固定方法としては、例えば、嵌合、圧入、接合、インサート成形など、機械的な固定手段を適用することができる。
【０１０３】
この実施例では、絶縁部材６０の断面が、環状部材３５の断面と略同一形状となっているので、絶縁部材６０の視認面は環状部材３５の視認面と略同一平面を形成する。そのため、絶縁部材６０の視認面が環状部材３５と一体的に視認されるので、環状部材３５の美観が向上し、時計自体の美観も向上する。
【０１０４】
また、好ましい一態様では、絶縁部材６０の視認面の色調は、環状部材３５の視認面の色調と同色色調とされる。このようにすることで、絶縁部材６０が視認されにくくなり、その結果、環状部材３５の美観が向上し、時計自体の美観も向上する。
【０１０５】
さらに、絶縁部材６０の視認面の色調が、環状部材３５の視認面の色調である金属外観と同色色調である金属外観を呈するようにすることで、環状部材３５に高級観が与えられる。
【０１０６】
また、好ましい別の態様では、絶縁部材６０の視認面の色調は、環状部材３５の視認面の色調と異色色調とされる。このようにすることで、この絶縁部材６０の視認面を時計の携帯者などの観察者に視認し易くすることができる。そのため、絶縁部材６０の視認面を時計の機能表示を示す指標面として機能させることができる。
【０１０７】
例えば、１時から１２時までの時刻表示位置に合致するようにスリット３５ａおよび絶縁部材６０が配置される。図４では、６時の時刻表示位置に合致するように絶縁部材６０ａが配置されている。
【０１０８】
なお、スリット３５ａ内に絶縁部材６０を配置しない場合、スリット３５ａは、上記のように文字板の時刻表示位置に対応して配置することが好ましい。このようにすることで、スリット３５ａを、時刻表示を示す指標として機能させることができ、さらに、スリット３５ａが視認されようとも自然な印象を与えることができるため、時計の美観も向上する。
【０１０９】
また、絶縁部材６０の視認面に、ブランド名、メーカー名、商品名などを表すマークやエンブレムなどを表示するようにしてもよい。
（実施例３）
図５は、本発明の別の実施例における無線機能付き時計の一部分解斜視図である。なお、この実施例の無線機能付き時計１０は、上述した実施例１および実施例２の無線機能付き時計１０と基本的には同様な構成であり、同一の構成要素には、同一の参照番号を付してその詳細な説明を省略する。
【０１１０】
この実施例の無線機能付き時計１０は、環状部材３５のスリット３５ａ内に配置された絶縁部６０を備えている。絶縁部６０は、合成樹脂製の時計ケース１４と一体に成形されており、その断面が、環状部材３５の断面と略同一形状となっている。すなわち、時計ケース１４の上面における環状溝１４ａは、略Ｃ字状の円弧状となっており、当該溝が成す円弧の開放端の間に絶縁部６０が上方に向けて突出した形態となっている。環状部材３５は、絶縁部６０がスリット３５ａの中に挿入される形で時計ケース１４の環状溝１４ａ内に装着される。
【０１１１】
このようにスリット３５ａ内に絶縁部６０を配置した場合であっても、導電性の環状部材３５にスリット３５ａが形成されているので、環状部材３５に沿った誘導電流である渦電流の経路が分断され、渦電流の発生が阻止される。したがって、環状部材３５に流れる渦電流に起因するアンテナ２６の受信感度の低下が阻止され、アンテナ２６の受信感度が向上する。
（実施例４）
図６は、本発明の別の実施例における無線機能付き時計の一部分解斜視図、図７は、図６の無線機能付き時計の斜視図である。なお、この実施例の無線機能付き時計１０は、上述の実施例１および実施例２の無線機能付き時計１０と基本的には同様な構成であり、同一の構成要素には、同一の参照番号を付してその詳細な説明を省略する。
【０１１２】
この実施例の無線機能付き時計１０では、絶縁部材６０が、付加部材である導電性の金属部材６５を保持しており、この金属部材６５が、外方から視認され得るように、かつ環状部材３５と接触しないように絶縁部材６０に保持されている。
【０１１３】
具体的には、金属部材６５が、絶縁部材６０に形成された凹部６０ａ内に配置および固定されている。金属部材６５は、不用意に絶縁部材６０の凹部６０ａから脱落しないように絶縁部材６０に固定されることが好ましい。その固定方法としては、例えば、嵌合、圧入、接合、インサート成形などの、機械的な固定手段が適用できる。絶縁部材６０と金属部材６５とを接合する接合層には、例えば、接着剤、粘着剤、両面粘着テープなどが用いられる。
【０１１４】
このように構成することで、絶縁部材６０に保持された金属部材６５により金属外観が付与されるので、環状部材３５の美観と高級観が向上し、時計自体の美観も向上する。
また、金属部材６５が、環状部材３５と接触しないように絶縁部材６０に保持されているので、環状部材３５に渦電流が発生せず、アンテナ２６の受信感度が向上する。
【０１１５】
この実施例では、金属部材６５および絶縁部材６０の断面が、環状部材３５の断面と略同一形状となっているので、金属部材６５および絶縁部材６０の視認面は環状部材３５の視認面と略同一平面を形成する。そのため、金属部材６５および絶縁部材６０の視認面が環状部材３５と一体的に視認されるので、環状部材３５の美観が向上し、時計自体の美観も向上する。
【０１１６】
また、好ましい一態様では、金属部材６５の視認面の色調は、環状部材３５の視認面の色調と同色色調とされる。このようにすることで、金属部材６５が視認されにくくなり、その結果、環状部材３５の美観と高級観が向上し、時計自体の美観も向上する。
【０１１７】
また、好ましい別の態様では、金属部材６５の視認面の色調は、環状部材３５の視認面の色調と異色色調とされる。このようにすることで、この金属部材６５の視認面を時計の携帯者などの観察者に視認し易くすることができる。そのため、金属部材６５の視認面を時計の機能表示を示す指標面として機能させることができる。
【０１１８】
また、金属部材６５の視認面に、ブランド名、メーカー名、商品名などを表すマークやエンブレムなどを表示するようにしてもよい。
（実施例５）
図８は、本発明の別の実施例における無線機能付き時計の一部分解斜視図である。なお、この実施例の無線機能付き時計１０は、上述の実施例１および実施例２の無線機能付き時計１０と基本的には同様な構成であり、同一の構成要素には、同一の参照番号を付してその詳細な説明を省略する。
【０１１９】
この実施例の無線機能付き時計１０では、金属部材６５が、環状部材３５のスリット３５ａ内に一定間隔離間して配置された２つの絶縁部材６０，６０の間に配置されている。
２つの絶縁部材６０，６０は、例えば、環状部材３５と金属部材６５とを接合するための非導電性の接合層、例えば接着層または粘着層から構成することができる。このような接合層の具体例としては、両面粘着テープなどが挙げられる。
【０１２０】
このように構成することで、絶縁部材６０，６０に保持された金属部材６５により金属外観が付与されるので、環状部材３５の美観と高級観が向上し、時計自体の美観も向上する。
【０１２１】
また、金属部材６５が、環状部材３５と接触しないように絶縁部材６０に保持されてい
るので、環状部材３５に渦電流が発生せず、アンテナ２６の受信感度が向上する。
この実施例では、金属部材６５および絶縁部材６０の断面が、環状部材３５の断面と略同一形状となっているので、金属部材６５の視認面は環状部材３５の視認面と略同一平面を形成する。そのため、金属部材６５の視認面が環状部材３５と一体的に視認されるので、環状部材３５の美観が向上し、時計自体の美観も向上する。
【０１２２】
また、好ましい一態様では、金属部材６５の視認面の色調は、環状部材３５の視認面の色調と同色色調とされる。このようにすることで、金属部材６５が視認されにくくなり、その結果、環状部材３５の美観と高級観が向上し、時計自体の美観も向上する。
【０１２３】
また、好ましい別の態様では、金属部材６５の視認面の色調は、環状部材３５の視認面の色調と異色色調とされる。このようにすることで、この金属部材６５の視認面を時計の携帯者などの観察者に視認し易くすることができる。そのため、金属部材６５の視認面を時計の機能表示を示す指標面として機能させることができる。
【０１２４】
また、金属部材６５の視認面に、ブランド名、メーカー名、商品名などを表すマークやエンブレムなどを表示するようにしてもよい。
また、時計ケース１４が導電性である場合には、図２と同様に、環状部材３５と時計ケース１４の環状溝１４ａとの間に絶縁領域７０を配置することが好ましい。このようにすることで、電波の受信時に、環状部材３５と時計ケース１４との間に誘導電流が流れることを阻止することができ、アンテナ２６の受信感度がさらに向上する。
（実施例６）
図９は、本発明の別の実施例における無線機能付き時計の一部分解斜視図、図１０は、図９の無線機能付き時計の斜視図である。なお、この実施例の無線機能付き時計１０は、上述の実施例１および実施例２の無線機能付き時計１０と基本的には同様な構成であり、同一の構成要素には、同一の参照番号を付してその詳細な説明を省略する。
【０１２５】
この実施例の無線機能付き時計１０では、絶縁部材６０の上部に、付加部材としての、６時を示すローマ数字の時刻表示部材６６が配置されている。
時刻表示部材６６は、絶縁部材６０とは独立した導電性または非導電性の部材であってもよく、あるいは、絶縁部６０と一体に形成された部材であってもよい。例えば、時刻表示部材６６が合成樹脂のような射出成形可能な非導電材料からなるのであれば、時刻表示部材６６は絶縁部材６０と一体に成形されてもよい。
【０１２６】
時刻表示部材６６を視認し易い点からは、時刻表示部材６６の視認面の色調は、絶縁部材６０の視認面の色調と異色色調であることが好ましい。
（実施例７）
図１１−Ａは、本発明の別の実施例における無線機能付き時計の一部分解斜視図、図１１−Ｂは、図１１−Ａの無線機能付き時計における絶縁部材と覆い部材の拡大斜視図、図１２は、図１１−Ａの無線機能付き時計の斜視図である。なお、この実施例の無線機能付き時計１０は、上述の実施例１および実施例２の無線機能付き時計１０と基本的には同様な構成であり、同一の構成要素には、同一の参照番号を付してその詳細な説明を省略する。
【０１２７】
この実施例の無線機能付き時計１０は、図１１−Ａおよび図１２に示したように、絶縁部材６０の上部に、環状部材３５と絶縁部材６０との境界の少なくとも一部を覆う、付加部材としての覆い部材６７を備えている。
【０１２８】
このような覆い部材６７を設けることで、環状部材３５と絶縁部材６０との境界が覆い部材６７で隠されて視認されなくなるので、環状部材３５の美観と高級観がさらに向上す
る。
【０１２９】
この実施例では、図１１−Ｂの拡大斜視図に示したように、覆い部材６７の背面に嵌合凸部６７ａが形成され、これに対応して、絶縁部材６０に嵌合孔６０ｂが形成されており、嵌合凸部６７ａを嵌合孔６０ｂへ嵌め込むことにより、覆い部材６７が絶縁部材６０に取り付けられるようになっている。
【０１３０】
また、絶縁部材６０には、取り付け後に覆い部材６７と環状部材３５との間に延出する延出部６０ｃが形成されている。
この延出部６０ｃを設けることで、図１２にも示したように、環状部材３５と絶縁部材６０との境界を越えて延びた導電性の覆い部材６７と、導電性の環状部材３５との間に延出部６０ｃ介在されるので、これらが接触することが防止される。
【０１３１】
したがって、導電性の覆い部材６７と、導電性の環状部材３５とが確実に絶縁されるので、環状部材３５に渦電流が生じることが阻止され、アンテナの受信感度が向上する。なお、この実施例では延出部６０ｃの延出長さを、覆い部材６７が環状部材３５上を延びる長さよりも短くしているが、絶縁確保の必要性に応じて、延出部６０ｃの延出長さは適宜のものとしてよく、例えば、長手方向の幅を覆い部材６７と同一としてもよい。
（実施例８）
図１３は、本発明の別の実施例における無線機能付き時計の斜視図である。なお、この実施例の無線機能付き時計１０は、上述の実施例１および実施例２の無線機能付き時計１０と基本的には同様な構成であり、同一の構成要素には、同一の参照番号を付してその詳細な説明を省略する。
【０１３２】
この実施例の無線機能付き時計１０は、絶縁部材６０の上部に、付加部材としての、観る者に美感を起こさせる装飾部材６８が配置されている。この実施例では、環状部材３５に３つのスリット３５ａが形成されており、これらのスリット３５ａのそれぞれに、宝石や貴石などの輝石からなる装飾部材６８が上部に配置された絶縁部材６０が配置されている。
【０１３３】
このように絶縁部材６０の上部に装飾部材６８を設けることで、環状部材３５の美観と高級観が向上し、時計自体の美観も向上することになる。
また、絶縁部材６０の視認面の色調を、環状部材３５の視認面の色調と異色色調として、時計の機能表示を示す指標にした場合には、このような時計の機能表示を観察者により視認し易くすることができる。
（実施例９）
図１４は、本発明の別の実施例における無線機能付き時計の図２と同様な断面図である。なお、この実施例の無線機能付き時計１０は、実施例１に示した無線機能付き時計１０と基本的には同様な構成であり、同一の構成要素には、同一の参照番号を付してその詳細な説明を省略する。
【０１３４】
本実施例の無線機能付き時計１０は、導電性の略円筒形状の枠体を構成する時計ケース１４の上部側に、合成樹脂からなる非導電性の円環状のベゼル７０を備えており、時計ケース１４と、時計ケース１４の下面開口部を覆うように密封状態で装着される導電性の裏蓋１６と、時計ケース１４の上部に配置されるベゼル７０と、このベゼル７０の上面開口部を覆うように密封状態で装着される風防（ガラス）１８と、からハウジング１２が構成されている。
【０１３５】
ベゼル７０の上面には、環状溝７０ａが形成されており、この環状溝７０ａに、風防１８の外側を囲み、文字板２４を含む時刻表示面を囲むように、導電性の環状部材３５が装
着されている。この環状部材３５は、ハウジング１２を装飾するための装飾リングまたは、時計の機能表示を示す指標を備える計測リングである。
【０１３６】
裏蓋１６における中子部材４２の係合突設部４３を、時計ケース１４の係合用凹部４４に係合することによって、ベゼル７０の下面に形成された押さえ面と、裏蓋１６の中子部材４２の上端部との間で、支持枠４５を介して、ムーブメント２０、ソーラーセル２２、文字板２４が、時計ケース１４の内部に固定され、収容されるようになっている。
【０１３７】
この実施例においても、図示はしないが導電性の環状部材３５にはスリット３５ａが形成されており、このスリット３５ａによって環状部材３５に沿った誘導電流である渦電流の経路が分断され、渦電流の発生が阻止される。したがって、環状部材３５に流れる渦電流に起因するアンテナ２６の受信感度の低下が阻止され、アンテナ２６の受信感度が向上する。
【０１３８】
以下、本発明における環状部材３５のスリット３５ａの好ましい配置位置について、図１５〜図１８を参照しながら説明する。
環状部材３５のスリット３５ａは、スリット３５ａによって受信電波の抜け道を確保し、かつ、導電性の環状部材３５とアンテナ２６との距離を広げることでアンテナ２６の受信感度を向上させる点からは、アンテナ２６の上方近傍、特に、アンテナ２６の開放端部の上方近傍に配置することが望ましい。
【０１３９】
平面方向から見たアンテナ２６の上方近傍の例を図１５に示す。同図において、斜線で示した領域７１が、アンテナ２６の上方近傍である。なお、同図では、斜線で示した領域７１には、スリット３５ａおよび絶縁部材６０が配置されている。また、説明の便宜のために、ムーブメント２０などの時計ケース１４内に配置される部材やベゼル７０などは図示省略しており、また、絶縁部材６０は排除されてもよい。図１６〜図１８においても同様である。
【０１４０】
また、平面方向から見たアンテナ２６の両側の開放端部２６ａ，２６ｂのそれぞれの上方近傍の例を図１６に示す。同図において、斜線で示した２つの領域７２が、開放端部２６ａ，２６ｂの上方近傍である。
【０１４１】
また、平面方向から見たアンテナ２６の片側の開放端部２６ａの上方近傍の例を図１７に示す。同図において、斜線で示した領域７２が、開放端部２６ａの上方近傍である。
また、複数の環状部材３５を配置した場合における、平面方向から見たアンテナ２６の上方近傍の例を図１８に示す。同図では、２つの環状部材３５が同心円上に配置されており、そのそれぞれについて、斜線で示した領域７１がアンテナ２６の上方近傍である。
【０１４２】
このように、アンテナ２６の上方近傍または開放端部２６ａ，２６ｂの上方近傍にスリット３５ａを配置することで、これらの上方近傍には、電波の受信を妨げる導電性の環状部材３５が存在しなくなり、このスリット３５ａを介して電波がアンテナ２６に受信され、アンテナの受信感度が向上する。
【０１４３】
このような位置にスリット３５ａを配置した場合においては、アンテナ２６と環状部材３５との間に位置する部分は、非導電性の材料から構成されていることが好ましい。図１４の実施例は、このような場合の具体例を示したものであり、アンテナ２６と環状部材３５との間に位置するベゼル７０が非導電性の合成樹脂から形成されていると共に、文字板２４が、ソーラーセル２２の発電に寄与する波長の外光を透過する透光機能を有する非導電性の材料、例えば、合成樹脂、セラミック、ガラス、木材、あるいは貝などから形成されている。
【０１４４】
このように、アンテナ２６と環状部材３５との間に位置する部分を、非導電性の材料から構成することで、環状部材３５のスリット３５ａを介して電波がアンテナに受信され易くなり、アンテナ２６の受信感度がさらに向上する。
【０１４５】
以下、本発明における図１の絶縁領域７０の好ましい配置位置について説明する。
絶縁領域７０は、平面方向において、環状部材３５の円周方向の全体に渡り連続して形成するようにしてもよいが、円周方向における一部に形成してもよい。この場合、アンテナ２６の開放端部の近くにおいて誘導電流を効果的に防止するという点では、アンテナ２６の上方近傍、特に、アンテナ２６の開放端部の上方近傍に少なくとも配置することが望ましい。
【０１４６】
平面方向から見たアンテナ２６の上方近傍の例は、図１５に示したとおりである。
また、平面方向から見たアンテナ２６の両側の開放端部２６ａ，２６ｂのそれぞれの上方近傍の例は、図１６に示したとおりである。絶縁領域７０は、これらの位置のそれぞれに少なくとも配置されていることが特に好ましい。
【０１４７】
また、平面方向から見たアンテナ２６の片側の開放端部２６ａの上方近傍の例は、図１７に示したとおりである。絶縁領域７０は、この位置（開放端部２６ｂの上方近傍であってもよい）に少なくとも配置されていることが好ましい。
【０１４８】
また、複数の環状部材３５を配置した場合における、平面方向から見たアンテナ２６の上方近傍の例は、図１８に示したとおりである。
以上、本発明の実施例について説明したが、本発明は、上述した実施例に何ら限定されるものではなく、その要旨を逸脱しない範囲内において各種の変形、変更が可能である。
【０１４９】
本発明における無線機能付き時計の構造は、腕時計に適用された場合に上述の顕著な効果を発揮する。しかしながら、本発明における無線機能付き時計の構造は、腕時計以外に、置き時計や掛け時計にも適用され得る。
【０１５０】
上述した実施例では、時刻情報を含む長波標準電波（搬送波）を受信し、その時刻情報に基づいて時刻を修正する無線機能を備えた電波時計について説明したが、本発明における無線機能付き時計の構造は、パソコン通信機能、携帯電話機能や非接触式ＩＣカード機能などの無線機能を備える時計にも適用され得る。
【０１５１】
文字板は、液晶表示ユニットに置換されてもよい。液晶表示ユニットが用いられた場合、表示針は排除されてもよい。
【図面の簡単な説明】
【０１５２】
【図１】本発明の一実施例における無線機能付き時計の分解斜視図である。
【図２】図１の無線機能付き時計を組み立てた状態におけるＡ−Ａ線方向の部分断面図である。
【図３】本発明の別の実施例における無線機能付き時計の一部分解斜視図である。
【図４】図３の無線機能付き時計の斜視図である。
【図５】本発明の別の実施例における無線機能付き時計の一部分解斜視図である。
【図６】本発明の別の実施例における無線機能付き時計の一部分解斜視図である。
【図７】図６の無線機能付き時計の斜視図である。
【図８】本発明の別の実施例における無線機能付き時計の一部分解斜視図である。
【図９】本発明の別の実施例における無線機能付き時計の一部分解斜視図である。
【図１０】図９の無線機能付き時計の斜視図である。
【図１１−Ａ】本発明の別の実施例における無線機能付き時計の一部分解斜視図である。
【図１１−Ｂ】図１１−Ａの無線機能付き時計における絶縁部材と覆い部材の拡大斜視図である。
【図１２】図１１−Ａの無線機能付き時計の斜視図である。
【図１３】本発明の別の実施例における無線機能付き時計の斜視図である。
【図１４】本発明の別の実施例における無線機能付き時計の図２と同様な断面図である。
【図１５】アンテナの上方近傍の範囲を説明する図である。
【図１６】アンテナの開放端部の上方近傍の範囲を説明する図である。
【図１７】アンテナの開放端部の上方近傍の範囲を説明する図である。
【図１８】アンテナの上方近傍の範囲を説明する図である。
【図１９】従来の無線機能付き時計の分解斜視図である。
【符号の説明】
【０１５３】
１０    無線機能付き時計
１２    ハウジング
１４    時計ケース
１４ａ  環状溝
１６    裏蓋
１８    風防
２０    ムーブメント
２０ａ  小径部
２０ｂ  大径部
２２    ソーラーセル
２４    文字板
２６    アンテナ
２６ａ、２６ｂ  開放端部
２８    バンド取り付け部
３０    脚部
３１    針軸
３５    環状部材
３５ａ  スリット
４１    固定パッキン
４２    中子部材
４３    係合突設部
４４    係合用凹部
４５    支持枠
４６    防水パッキン
４７    外部操作部材（リューズ）
５０    絶縁領域
５５    隙間
６０    絶縁部材（絶縁部）
６０ａ  凹部
６０ｂ  嵌合孔
６０ｃ  延出部
６５    金属部材
６６    時刻表示部材
６７    覆い部材
６７ａ  嵌合凸部
６８    装飾部材
７０    ベゼル
７０ａ  環状溝
７１    アンテナ上方近傍
７２    アンテナの開放端部の上方近傍
【図１】
2008032566.tif 000003
【図２】
2008032566.tif 000004
【図３】
2008032566.tif 000005
【図４】
2008032566.tif 000006
【図５】
2008032566.tif 000007
【図６】
2008032566.tif 000008
【図７】
2008032566.tif 000009
【図８】
2008032566.tif 000010
【図９】
2008032566.tif 000011
【図１０】
2008032566.tif 000012
【図１１−Ａ】
2008032566.tif 000013
【図１１−Ｂ】
2008032566.tif 000014
【図１２】
2008032566.tif 000015
【図１３】
2008032566.tif 000016
【図１４】
2008032566.tif 000017
【図１５】
2008032566.tif 000018
【図１６】
2008032566.tif 000019
【図１７】
2008032566.tif 000020
【図１８】
2008032566.tif 000021
【図１９】
2008032566.tif 000022